(57)【要約】【課題】  クライアント装置間での情報伝達に支障がない伝送システムを得る。【解決手段】  クライアント３及び７間で別のネットワーク２を介して通信を行う際、ノードＡはクライアント３からのデータのオーバヘッド内の所定部分をその未使用部分へマッピングし、ノードＣはクライアント７へ出力するデータのオーバヘッド内の未使用部分へマッピングされた所定部分をオーバヘッド内の元の位置にマッピングして戻す。ノードＡは所定部分に含まれる誤り監視用バイトについては、それをクライアント３からのデータのパリティ演算結果と加算し、その結果を誤り監視用バイトとしてマッピングする。ノードＣは、未使用部分にマッピングされた誤り監視用バイトをクライアント７へ出力するデータのパリティ演算結果と加算し、その結果を誤り監視用バイトとしてオーバヘッド内の元の位置に戻すようにしている。【選択図】      図１                                                  
2006041849.tif 000002
【特許請求の範囲】
【請求項１】
第１のネットワークのクライアント装置間で第２のネットワークを介して通信を行い、前記第２のネットワークにおいて、前記クライアント装置から入力されるデータのオーバヘッド内の所定部分をその未使用部分へマッピングする第１の手段と、前記クライアント装置へ出力されるデータのオーバヘッド内の前記未使用部分へマッピングされた前記所定部分を前記オーバヘッド内の元の位置にマッピングして戻す第２の手段とを含む伝送システムであって、
前記所定部分は誤り監視用バイトを含み、
前記第１の手段は、前記誤り監視用バイトと前記クライアント装置から入力されるデータの所定範囲に対するパリティ演算結果とを加算する第１の加算手段を有し、その加算結果を前記未使用部分へマッピングし、
前記第２の手段は、前記加算結果と前記クライアント装置へ出力されるデータの所定範囲に対するパリティ演算結果とを加算する第２の加算手段を有し、その加算結果を前記誤り監視用バイトの元の位置にマッピングして戻すことを特徴とする伝送システム。
【請求項２】
前記誤り監視用バイトはＳＤＨ（Ｓｙｎｃｈｒｏｎｏｕｓ  Ｄｉｇｉｔａｌ  Ｈｉｅｒａｒｃｈｙ）フレームのＢ１及びＢ２バイトであり、
前記第１の加算手段において加算されるパリティ演算結果は、前記クライアント装置から入力される前フレームデータに対するパリティ演算結果であり、
前記第２の加算手段において加算されるパリティ演算結果は、前記クライアント装置へ出力される前フレームデータに対するパリティ演算結果であることを特徴とする請求項１記載の伝送システム。
【請求項３】
前記第２の手段は、前記クライアント装置へ出力されるデータを遅延させる遅延手段を有し、前記遅延手段により遅延されたデータに対してそのオーバヘッド内の前記未使用部分へマッピングされた前記所定部分を挿入することによりそのオーバヘッド内の元の位置にマッピングして戻すようにしたことを特徴とする請求項１または２記載の伝送システム。
【請求項４】
少なくとも前記第２の加算手段の加算結果を前記誤り監視用バイトの元の位置にマッピングして戻すために必要な遅延量が前記遅延手段に設定されることを特徴とする請求項３記載の伝送システム。
【請求項５】
前記第２の手段は、前記クライアント装置へ出力されるデータのオーバヘッド内の前記未使用部分へマッピングされた前記所定部分内の前記誤り監視用バイトを除くバイトを、前記クライアント装置へ出力される次フレームデータの前記オーバヘッド内の元の位置にマッピングして戻すようにしたことを特徴とする請求項４記載の伝送システム。
【請求項６】
第１のネットワークのクライアント装置間で第２のネットワークを介して通信を行い、前記第２のネットワークにおいて、前記クライアント装置から入力されるデータのオーバヘッド内の所定部分をその未使用部分へマッピングする第１の手段と、前記クライアント装置へ出力されるデータのオーバヘッド内の前記未使用部分へマッピングされた前記所定部分を前記オーバヘッド内の元の位置にマッピングして戻す第２の手段とを含む伝送システムのオーバヘッド透過伝送方法であって、
前記第１の手段において、前記所定部分に含まれる誤り監視用バイトと前記クライアント装置から入力されるデータの所定範囲に対するパリティ演算結果とを加算する第１のステップと、その加算結果を前記誤り監視用バイトとして前記未使用部分へマッピングする第２のステップと、
前記第２の手段において、前記加算結果と前記クライアント装置へ出力されるデータの所定範囲に対するパリティ演算結果とを加算する第３のステップと、その加算結果を前記誤り監視用バイトの元の位置にマッピングして戻す第４のステップとを含むことを特徴とするオーバヘッド透過伝送方法。
【請求項７】
前記誤り監視用バイトはＳＤＨ（Ｓｙｎｃｈｒｏｎｏｕｓ  Ｄｉｇｉｔａｌ  Ｈｉｅｒａｒｃｈｙ）フレームのＢ１及びＢ２バイトであり、
前記第１のステップにおいて加算されるパリティ演算結果は、前記クライアント装置から入力される前フレームデータに対するパリティ演算結果であり、
前記第３のステップにおいて加算されるパリティ演算結果は、前記クライアント装置へ出力される前フレームデータに対するパリティ演算結果であることを特徴とする請求項６記載のオーバヘッド透過伝送方法。
【請求項８】
前記第４のステップは、前記クライアント装置へ出力されるデータを遅延させる前記第２の手段の遅延手段により遅延されたデータに対してそのオーバヘッド内の前記未使用部分へマッピングされた前記所定部分を挿入することによりそのオーバヘッド内の元の位置にマッピングして戻すようにしたことを特徴とする請求項６または７記載のオーバヘッド透過伝送方法。
【請求項９】
少なくとも前記第３のステップにおける加算結果を前記誤り監視用バイトの元の位置にマッピングして戻すために必要な遅延量が前記遅延手段に設定されることを特徴とする請求項８記載のオーバヘッド透過伝送方法。
【請求項１０】
前記第４のステップは、前記クライアント装置へ出力されるデータのオーバヘッド内の前記未使用部分へマッピングされた前記所定部分内の前記誤り監視用バイトを除くバイトを、前記クライアント装置へ出力される次フレームデータの前記オーバヘッド内の元の位置にマッピングして戻すようにしたことを特徴とする請求項９記載のオーバヘッド透過伝送方法。
【請求項１１】
第１のネットワークのクライアント装置間で第２のネットワークを介して通信を行い、前記第２のネットワークにおいて、前記クライアント装置から入力されるデータのオーバヘッド内の所定部分をその未使用部分へマッピングし、前記クライアント装置へ出力されるデータのオーバヘッド内の前記未使用部分へマッピングされた前記所定部分を前記オーバヘッド内の元の位置にマッピングして戻す伝送システムにおける第２のネットワークのノード装置であって、
前記所定部分に含まれる誤り監視用バイトと前記クライアント装置から入力されるデータの所定範囲に対するパリティ演算結果とを加算する加算手段を含み、前記クライアント装置から入力されるデータのオーバヘッド内の所定部分をその未使用部分へマッピングする際に、前記加算手段の加算結果を前記未使用部分へマッピングすることを特徴とするノード装置。
【請求項１２】
前記誤り監視用バイトはＳＤＨ（Ｓｙｎｃｈｒｏｎｏｕｓ  Ｄｉｇｉｔａｌ  Ｈｉｅｒａｒｃｈｙ）フレームのＢ１及びＢ２バイトであり、
前記加算手段において加算されるパリティ演算結果は、前記クライアント装置から入力される前フレームデータに対するパリティ演算結果であることを特徴とする請求項１１記載のノード装置。
【請求項１３】
第１のネットワークのクライアント装置間で第２のネットワークを介して通信を行い、前記第２のネットワークにおいて、前記クライアント装置から入力されるデータのオーバヘッド内の所定部分をその未使用部分へマッピングし、前記クライアント装置へ出力されるデータのオーバヘッド内の前記未使用部分へマッピングされた前記所定部分を前記オーバヘッド内の元の位置にマッピングして戻す伝送システムにおける第２のネットワークのノード装置のオーバヘッド透過伝送方法であって、
前記所定部分に含まれる誤り監視用バイトと前記クライアント装置から入力されるデータの所定範囲に対するパリティ演算結果とを加算する第１のステップと、前記クライアント装置から入力されるデータのオーバヘッド内の所定部分をその未使用部分へマッピングする際に、前記ステップの加算結果を前記未使用部分へマッピングする第２のステップとを含むことを特徴とするオーバヘッド透過伝送方法。
【請求項１４】
前記誤り監視用バイトはＳＤＨ（Ｓｙｎｃｈｒｏｎｏｕｓ  Ｄｉｇｉｔａｌ  Ｈｉｅｒａｒｃｈｙ）フレームのＢ１及びＢ２バイトであり、
前記第１のステップにおいて加算されるパリティ演算結果は、前記クライアント装置から入力される前フレームデータに対するパリティ演算結果であることを特徴とする請求項１３記載のオーバヘッド透過伝送方法。
【請求項１５】
第１のネットワークのクライアント装置間で第２のネットワークを介して通信を行い、前記第２のネットワークにおいて、前記クライアント装置から入力されるデータのオーバヘッド内の所定部分をその未使用部分へマッピングし、前記クライアント装置へ出力されるデータのオーバヘッド内の前記未使用部分へマッピングされた前記所定部分を前記オーバヘッド内の元の位置にマッピングして戻す伝送システムにおける第２のネットワークのノード装置であって、
前記クライアント装置へ出力されるデータのオーバヘッド内の前記未使用部分へマッピングされた前記所定部分に含まれる誤り監視用バイトと前記クライアント装置へ出力されるデータの所定範囲に対するパリティ演算結果とを加算する加算手段を含み、前記クライアント装置へ出力されるデータのオーバヘッド内の前記未使用部分へマッピングされた前記所定部分を前記オーバヘッド内の元の位置にマッピングして戻す際に、前記加算手段の加算結果を前記誤り監視用バイトの元の位置にマッピングして戻すことを特徴とするノード装置。
【請求項１６】
前記誤り監視用バイトはＳＤＨ（Ｓｙｎｃｈｒｏｎｏｕｓ  Ｄｉｇｉｔａｌ  Ｈｉｅｒａｒｃｈｙ）フレームのＢ１及びＢ２バイトであり、
前記加算手段において加算されるパリティ演算結果は、前記クライアント装置へ出力される前フレームデータに対するパリティ演算結果であることを特徴とする請求項１５記載のノード装置。
【請求項１７】
前記クライアント装置へ出力されるデータを遅延させる遅延手段を含み、前記遅延手段により遅延されたデータに対してそのオーバヘッド内の前記未使用部分へマッピングされた前記所定部分を挿入することによりそのオーバヘッド内の元の位置にマッピングして戻すようにしたことを特徴とする請求項１５または１６記載のノード装置。
【請求項１８】
少なくとも前記加算手段の加算結果を前記誤り監視用バイトの元の位置にマッピングして戻すために必要な遅延量が前記遅延手段に設定されることを特徴とする請求項１７記載のノード装置。
【請求項１９】
前記クライアント装置へ出力されるデータのオーバヘッド内の前記未使用部分へマッピングされた前記所定部分内の前記誤り監視用バイトを除くバイトを、前記クライアント装置へ出力される次フレームデータの前記オーバヘッド内の元の位置にマッピングして戻すようにしたことを特徴とする請求項１８記載のノード装置。
【請求項２０】
第１のネットワークのクライアント装置間で第２のネットワークを介して通信を行い、前記第２のネットワークにおいて、前記クライアント装置から入力されるデータのオーバヘッド内の所定部分をその未使用部分へマッピングし、前記クライアント装置へ出力されるデータのオーバヘッド内の前記未使用部分へマッピングされた前記所定部分を前記オーバヘッド内の元の位置にマッピングして戻す伝送システムにおける第２のネットワークのノード装置のオーバヘッド透過伝送方法であって、
前記クライアント装置へ出力されるデータのオーバヘッド内の前記未使用部分へマッピングされた前記所定部分に含まれる誤り監視用バイトと前記クライアント装置へ出力されるデータの所定範囲に対するパリティ演算結果とを加算する第１のステップと、前記クライアント装置へ出力されるデータのオーバヘッド内の前記未使用部分へマッピングされた前記所定部分を前記オーバヘッド内の元の位置にマッピングして戻す際に、前記加算手段の加算結果を前記誤り監視用バイトの元の位置にマッピングして戻す第２のステップとを含むことを特徴とするオーバヘッド透過伝送方法。
【請求項２１】
前記誤り監視用バイトはＳＤＨ（Ｓｙｎｃｈｒｏｎｏｕｓ  Ｄｉｇｉｔａｌ  Ｈｉｅｒａｒｃｈｙ）フレームのＢ１及びＢ２バイトであり、
前記第１のステップにおいて加算されるパリティ演算結果は、前記クライアント装置へ出力される前フレームデータに対するパリティ演算結果であることを特徴とする請求項２０記載のオーバヘッド透過伝送方法。
【請求項２２】
前記第２のステップは、前記クライアント装置へ出力されるデータを遅延させる自ノードの遅延手段により遅延されたデータに対してそのオーバヘッド内の前記未使用部分へマッピングされた前記所定部分を挿入することによりそのオーバヘッド内の元の位置にマッピングして戻すようにしたことを特徴とする請求項２０または２１記載のオーバヘッド透過伝送方法。
【請求項２３】
少なくとも前記第１のステップの加算結果を前記誤り監視用バイトの元の位置にマッピングして戻すために必要な遅延量が前記遅延手段に設定されることを特徴とする請求項２２記載のオーバヘッド透過伝送方法。
【請求項２４】
前記第２のステップは、前記クライアント装置へ出力されるデータのオーバヘッド内の前記未使用部分へマッピングされた前記所定部分内の前記誤り監視用バイトを除くバイトを、前記クライアント装置へ出力される次フレームデータの前記オーバヘッド内の元の位置にマッピングして戻すようにしたことを特徴とする請求項２３記載のオーバヘッド透過伝送方法。
【発明の詳細な説明】
【技術分野】
【０００１】
本発明は伝送システム、ノード装置及びオーバヘッド透過伝送方法に関し、特にオーバヘッド透過伝送機能を有し、ネットワーク端点間でクライアント装置からのＳＤＨ（Ｓｙｎｃｈｒｏｎｏｕｓ  Ｄｉｇｉｔａｌ  Ｈｉｅｒａｒｃｈｙ）信号のオーバヘッドを透過させるＳＤＨ光伝送システムに関する。
【背景技術】
【０００２】
図１４は従来のオーバヘッド透過の例を説明するための図である。図１４において、クライアント装置９２，９６のネットワーク９０は、管理の異なるノードＡ９３，Ｂ９４，Ｃ９５を含むネットワーク９１を間にはさむ形で信号を伝達する構成である。ノードＡ９３のＲＳＴ（Ｒｅｇｅｎｅｒａｔｏｒ  Ｓｅｃｔｉｏｎ  Ｔｅｒｍｉｎａｔｉｎｇ）・ＭＳＴ（Ｍｕｌｔｉｐｌｅｘ  Ｓｅｃｔｉｏｎ  Ｔｅｒｍｉｎａｔｉｎｇ）部９７は、クライアント装置９２からのＳＤＨ（Ｓｙｎｃｈｒｏｎｏｕｓ  Ｄｉｇｉｔａｌ  Ｈｉｅｒａｒｃｈｙ）信号のオーバヘッドを終端して、図中の点線にて示すように装置外部に出力する。そして、ノードＡ９３のＲＳＴ・ＭＳＴ部９８は、外部からの信号をオーバヘッド生成時に挿入して、ノードＢ９４に出力する一部の入出力可能なオーバヘッドを利用してオーバヘッド透過する。
【０００３】
ノードＢ９４のＲＳＴ・ＭＳＴ部９９は、ノードＡ９３からのＳＤＨ信号のオーバヘッドを終端して、図中の点線にて示すように装置外部に出力する。そして、ノードＢ９４のＲＳＴ・ＭＳＴ部１００は、外部からの信号をオーバヘッド生成時に挿入して、ノードＣ９５に出力する一部の入出力可能なオーバヘッドを利用してオーバヘッド透過する。
【０００４】
ノードＣ９５においても同様の動作を行うことにより、クライアント装置９２からの信号を、ノード間のオーバヘッドを使用してクライアント装置９６に伝送することができる。
【０００５】
このように、クライアント装置のネットワーク９０が管理の異なるノードを含むネットワーク９１を間にはさむ形で信号を伝達する構成において、クライアント装置９２及び９６間でＳＤＨのオーバヘッドを利用した情報伝達や制御が行われていると、図１４中の点線にて示すように、間に挟まれたネットワーク９１部分を迂回する別の情報伝達手段が必要であった。
【０００６】
また、クライアント装置９２，９６側では、管理の異なるノードＡ９３，Ｂ９４，Ｃ９５で得られているＥＲＲ（エラー）情報（伝送路品質情報）を、入手できないか、容易に情報を得ることが難しかった。
【０００７】
一方、特許文献１には、伝送データのオーバヘッド内の所定部分をマッピングオペレーションによりオーバヘッドの他の未使用領域にマッピングし、未使用領域にマッピングされた所定部分をデマッピングオペレーションによりオーバヘッドの元の位置にマッピングして戻すことにより、管理の異なるノードを含むネットワークを介してクライアント装置間で通信する際に、クライアント装置からの信号のオーバヘッドを対向側のクライアント装置に透過することができるようにした技術が記載されている。
【０００８】
【特許文献１】特表２００４−５０３９８０号公報（第６〜１０頁、第１〜７図）
【発明の開示】
【発明が解決しようとする課題】
【０００９】
特許文献１のように、オーバヘッド内の所定部分をオーバヘッドの他の未使用領域にマッピングし、未使用領域にマッピングされた所定部分をオーバヘッドの元の位置にマッピングして戻すという技術を用いると、ネットワークにおいて得られるＥＲＲ情報の調整やデマッピングオペレーションにおける位相ずれの調整が必要となるが、特許文献１にはこれらについての具体例が何等開示されていない。そのため、クライアント装置側において、ネットワークにおける伝送路品質情報を取得することが困難であるという問題がある。
【００１０】
本発明の目的は、クライアント装置間での情報伝達に支障がない伝送システムを提供することである。
【課題を解決するための手段】
【００１１】
本発明による伝送システムは、第１のネットワークのクライアント装置間で第２のネットワークを介して通信を行い、前記第２のネットワークにおいて、前記クライアント装置から入力されるデータのオーバヘッド内の所定部分をその未使用部分へマッピングする第１の手段と、前記クライアント装置へ出力されるデータのオーバヘッド内の前記未使用部分へマッピングされた前記所定部分を前記オーバヘッド内の元の位置にマッピングして戻す第２の手段とを含む伝送システムであって、前記所定部分は誤り監視用バイトを含み、前記第１の手段は、前記誤り監視用バイトと前記クライアント装置から入力されるデータの所定範囲に対するパリティ演算結果とを加算する第１の加算手段を有し、その加算結果を前記未使用部分へマッピングし、前記第２の手段は、前記加算結果と前記クライアント装置へ出力されるデータの所定範囲に対するパリティ演算結果とを加算する第２の加算手段を有し、その加算結果を前記誤り監視用バイトの元の位置にマッピングして戻すことを特徴とする。
【００１２】
本発明によるオーバヘッド透過伝送方法は、第１のネットワークのクライアント装置間で第２のネットワークを介して通信を行い、前記第２のネットワークにおいて、前記クライアント装置から入力されるデータのオーバヘッド内の所定部分をその未使用部分へマッピングする第１の手段と、前記クライアント装置へ出力されるデータのオーバヘッド内の前記未使用部分へマッピングされた前記所定部分を前記オーバヘッド内の元の位置にマッピングして戻す第２の手段とを含む伝送システムのオーバヘッド透過伝送方法であって、前記第１の手段において、前記所定部分に含まれる誤り監視用バイトと前記クライアント装置から入力されるデータの所定範囲に対するパリティ演算結果とを加算する第１のステップと、その加算結果を前記誤り監視用バイトとして前記未使用部分へマッピングする第２のステップと、前記第２の手段において、前記加算結果と前記クライアント装置へ出力されるデータの所定範囲に対するパリティ演算結果とを加算する第３のステップと、その加算結果を前記誤り監視用バイトの元の位置にマッピングして戻す第４のステップとを含むことを特徴とする。
【００１３】
本発明によるノード装置は、第１のネットワークのクライアント装置間で第２のネットワークを介して通信を行い、前記第２のネットワークにおいて、前記クライアント装置から入力されるデータのオーバヘッド内の所定部分をその未使用部分へマッピングし、前記クライアント装置へ出力されるデータのオーバヘッド内の前記未使用部分へマッピングされた前記所定部分を前記オーバヘッド内の元の位置にマッピングして戻す伝送システムにおける第２のネットワークのノード装置であって、前記所定部分に含まれる誤り監視用バイトと前記クライアント装置から入力されるデータの所定範囲に対するパリティ演算結果とを加算する加算手段を含み、前記クライアント装置から入力されるデータのオーバヘッド内の所定部分をその未使用部分へマッピングする際に、前記加算手段の加算結果を前記未使用部分へマッピングすることを特徴とする。
【００１４】
本発明によるオーバヘッド透過伝送方法は、第１のネットワークのクライアント装置間で第２のネットワークを介して通信を行い、前記第２のネットワークにおいて、前記クライアント装置から入力されるデータのオーバヘッド内の所定部分をその未使用部分へマッピングし、前記クライアント装置へ出力されるデータのオーバヘッド内の前記未使用部分へマッピングされた前記所定部分を前記オーバヘッド内の元の位置にマッピングして戻す伝送システムにおける第２のネットワークのノード装置のオーバヘッド透過伝送方法であって、前記所定部分に含まれる誤り監視用バイトと前記クライアント装置から入力されるデータの所定範囲に対するパリティ演算結果とを加算する第１のステップと、前記クライアント装置から入力されるデータのオーバヘッド内の所定部分をその未使用部分へマッピングする際に、前記ステップの加算結果を前記未使用部分へマッピングする第２のステップとを含むことを特徴とする。
【００１５】
本発明によるノード装置は、第１のネットワークのクライアント装置間で第２のネットワークを介して通信を行い、前記第２のネットワークにおいて、前記クライアント装置から入力されるデータのオーバヘッド内の所定部分をその未使用部分へマッピングし、前記クライアント装置へ出力されるデータのオーバヘッド内の前記未使用部分へマッピングされた前記所定部分を前記オーバヘッド内の元の位置にマッピングして戻す伝送システムにおける第２のネットワークのノード装置であって、前記クライアント装置へ出力されるデータのオーバヘッド内の前記未使用部分へマッピングされた前記所定部分に含まれる誤り監視用バイトと前記クライアント装置へ出力されるデータの所定範囲に対するパリティ演算結果とを加算する加算手段を含み、前記クライアント装置へ出力されるデータのオーバヘッド内の前記未使用部分へマッピングされた前記所定部分を前記オーバヘッド内の元の位置にマッピングして戻す際に、前記加算手段の加算結果を前記誤り監視用バイトの元の位置にマッピングして戻すことを特徴とする。
【００１６】
本発明によるオーバヘッド透過伝送方法は、第１のネットワークのクライアント装置間で第２のネットワークを介して通信を行い、前記第２のネットワークにおいて、前記クライアント装置から入力されるデータのオーバヘッド内の所定部分をその未使用部分へマッピングし、前記クライアント装置へ出力されるデータのオーバヘッド内の前記未使用部分へマッピングされた前記所定部分を前記オーバヘッド内の元の位置にマッピングして戻す伝送システムにおける第２のネットワークのノード装置のオーバヘッド透過伝送方法であって、前記クライアント装置へ出力されるデータのオーバヘッド内の前記未使用部分へマッピングされた前記所定部分に含まれる誤り監視用バイトと前記クライアント装置へ出力されるデータの所定範囲に対するパリティ演算結果とを加算する第１のステップと、前記クライアント装置へ出力されるデータのオーバヘッド内の前記未使用部分へマッピングされた前記所定部分を前記オーバヘッド内の元の位置にマッピングして戻す際に、前記加算手段の加算結果を前記誤り監視用バイトの元の位置にマッピングして戻す第２のステップとを含むことを特徴とする。
【００１７】
このように、本発明では、第１のネットワークのクライアント装置間で第２のネットワークを介して通信を行う伝送システムにおいて、第２のネットワークにおいて、クライアント装置から入力されるデータのオーバヘッド内の所定部分をその未使用部分へマッピングする際、所定部分に含まれる誤り監視用バイトとクライアント装置からのデータの所定範囲に対するパリティ演算結果とを加算し、その加算結果を誤り監視用バイトとしてオーバヘッド内の未使用部分へマッピングする。また、第２のネットワークにおいて、クライアント装置へ出力すべきデータのオーバヘッド内の未使用部分へマッピングされた所定部分をオーバヘッド内の元の位置にマッピングして戻す際、その所定部分に含まれる誤り監視用バイトとクライアント装置へのデータの所定範囲に対するパリティ演算結果とを加算し、その加算結果を誤り監視用バイトとしてオーバヘッド内の元の位置にマッピングして戻すようにしている。従って、クライアント装置側において第２のネットワークにおける伝送路品質情報を容易に取得することが可能となっている。
【発明の効果】
【００１８】
本発明によれば、第１のネットワークのクライアント装置間で第２のネットワークを介して通信を行い、第２のネットワークにおいて、クライアント装置から入力されるデータのオーバヘッド内の所定部分をその未使用部分へマッピングする第１の手段と、クライアント装置へ出力されるデータのオーバヘッド内の未使用部分へマッピングされた所定部分をオーバヘッド内の元の位置にマッピングして戻す第２の手段とを含む伝送システムにおいて、第１の手段は、所定部分に含まれる誤り監視用バイトとクライアント装置から入力されるデータの所定範囲に対するパリティ演算結果とを加算し、その加算結果を未使用部分へマッピングし、第２の手段は、上記加算結果とクライアント装置へ出力されるデータの所定範囲に対するパリティ演算結果とを加算し、その加算結果を誤り監視用バイトの元の位置にマッピングして戻すことにより、クライアント装置間の情報伝達を支障なく行なうことを可能とすると共に、クライアント装置側において第２のネットワークにおける伝送路品質情報を取得することが可能となる。
【発明を実施するための最良の形態】
【００１９】
以下、本発明の実施例について図面を参照して説明する。
【００２０】
図１は本発明の実施例によるＳＤＨ（Ｓｙｎｃｈｒｏｎｏｕｓ  Ｄｉｇｉｔａｌ  Ｈｉｅｒａｒｃｈｙ）光伝送システムの構成を示す図である。図１を参照すると、本発明の実施例によるＳＤＨ光伝送システムは、クライアント装置３及び７を有するクライアントネットワーク１と、ノードＡ４、ノードＢ５及びノードＣ６を有するネットワーク２とを含む。ネットワーク１及び２はそれぞれ管理が異なっており、ネットワーク１及び２ではそれぞれ信号のオーバヘッドの使用態様が異なる。なお、図１には、ノードＡ４及びノードＣ６の主要部の構成が示されている。
【００２１】
図２は図１のノードＡ４の構成を示す図であり、図１と同等部分は同一符号にて示している。図２において、ノードＡ４は、ＲＳＴ（Ｒｅｇｅｎｅｒａｔｏｒ  Ｓｅｃｔｉｏｎ  Ｔｅｒｍｉｎａｔｉｎｇ）部１０及び１７と、ＭＳＴ（Ｍｕｌｔｉｐｌｅｘ  Ｓｅｃｔｉｏｎ  Ｔｅｒｍｉｎａｔｉｎｇ）部１１及び１６と、ＯＨ  ＳＨＩＦＴ  ＩＮＳ部（ＯＨシフト挿入部）１２と、ＭＳＡ（Ｍｕｌｔｉｐｌｅｘ  Ｓｅｃｔｉｏｎ  Ａｄａｐｔａｔｉｏｎ）部１３及び１５と、ＸＣ部（クロスコネクト部）１４と、Ｂ１演算部１８と、Ｂ２演算部１９と、オーバヘッド抽出挿入制御部２０とを有する。
【００２２】
ＲＳＴ部１０は、クライアント装置３からのＳＤＨ信号に対して同期引き込み、デスクランブルを行い、ＲＳＯＨ（Ｒｅｇｅｎｅｒａｔｏｒ  Ｓｅｃｔｉｏｎ  Ｏｖｅｒ  Ｈｅａｄ）を終端する。また、ＲＳＴ部１０は、ＳＤＨ信号から取り出したＲＳＯＨのうち透過が必要なバイトを取り出し、オーバヘッド抽出挿入制御部２０に送出する。
【００２３】
Ｂ１演算部１８は、受信されたＳＤＨ信号の所定範囲をパリティ演算し、そのパリティ演算結果とＢ１バイトとを比較し、ＥＲＲ（エラー）ビット情報を作成して、オーバヘッド抽出挿入制御部２０に送出する。
【００２４】
ＭＳＴ部１１は、クライアント装置３からのＳＤＨ信号のＭＳＯＨ（Ｍｕｌｔｉｐｌｅｘ  Ｓｅｃｔｉｏｎ  Ｏｖｅｒ  Ｈｅａｄ）を終端する。また、ＭＳＴ部１１は、ＭＳＯＨのうち透過が必要なバイトを取り出し、オーバヘッド抽出挿入制御部２０に送出する。
【００２５】
Ｂ２演算部１９は、受信されたＳＤＨ信号の所定範囲をパリティ演算し、そのパリティ演算結果とＢ２バイトとを比較し、ＥＲＲビット情報を作成し、オーバヘッド抽出挿入制御部２０に送出する。
【００２６】
オーバヘッド抽出挿入制御部２０は、ＲＳＴ部１０及びＭＳＴ部１１により取り出されたオーバヘッド情報と、Ｂ１演算部１８とＢ２演算部１９からのＥＲＲビット情報とをＯＨ  ＳＨＩＦＴ  ＩＮＳ１２に送出する。また、オーバヘッドの未定義バイトへこれらの情報を挿入するか、挿入しないでそのまま通過させるかの制御を行う。
【００２７】
ＯＨ  ＳＨＩＦＴ  ＩＮＳ部１２は、オーバヘッド抽出挿入制御部２０からの転送すべきバイトを、ＳＤＨ信号のオーバヘッド内の未定義バイトにずらして挿入する。
【００２８】
ＭＳＡ部１３及び１５は、入力信号のポインタ処理を行う。この部分は、本発明とは直接関係しないので、その詳細な構成は省略する。
【００２９】
ＸＣ部１４は、入力ポートと出力ポートをクロスコネクト処理にて接続する部分である。通常のＳＤＨ光伝送装置におけるＸＣ部は、入力ポートと出力ポートを複数もち、任意の入力ポートから任意の出力ポートへの接続を行う処理部分である。本実施例におけるＸＣ部１４では、オーバヘッドを透過するため、接続されたポート間では、情報の欠落が無く、入力ポートから入力された信号はそのまま出力ポートへ出力される。
【００３０】
ＭＳＴ部１６は入力信号に対して、ＳＤＨ信号として次のノード間で必要となるＭＳＯＨ情報を挿入する。また、入力信号をパリティ演算して、Ｂ２バイトへパリティ演算結果を挿入する。本実施例では、ＭＳＴ部１６は、転送すべき（透過すべき）バイトに使用している未定義バイトには、未定義としてのアイドル値挿入を行わず、通過させる。
【００３１】
ＲＳＴ部１７は入力信号に対して、ＳＤＨ信号として次のノード間で必要となるＲＳＯＨ情報を挿入する。また、入力信号をパリティ演算して、Ｂ１バイトへパリティ演算結果を挿入し、信号をスクランブルする。本実施例では、ＲＳＴ部１７は、転送すべきバイトに使用している未定義バイトには、未定義としてのアイドル値挿入を行わず、通過させる。
【００３２】
図４は図１のノードＡ４のＲＳＴ部１０、ＭＳＴ部１１、オーバヘッド抽出挿入制御部２０の構成を示す図であり、図１と同等部分は同一符号にて示している。図４において、ＲＳＴ部１０は、Ｂ１ＤＲＯＰ部（Ｂ１ドロップ部）１０−１と、ＲＳＤＲＯＰ部（ＲＳドロップ部）１０−２とを有する。Ｂ１ＤＲＯＰ部１０−１は、ＳＤＨ信号から特定の位置に挿入されたＢ１バイトを抽出する。ＲＳＤＲＯＰ部（ＲＳドロップ部）１０−２は、ＳＤＨ信号のＲＳＯＨの抽出を行う。Ｂ１演算部１８はＢ１演算部１８−１を有し、Ｂ１演算範囲に従いＳＤＨ信号のパリティ演算を行う。
【００３３】
オーバヘッド抽出挿入制御部２０は、加算器２０−１及び２０−４と、Ｂ１挿入制御部２０−２と、挿入制御部２０−３及び２０−６と、Ｂ２挿入制御部２０−５とを有する。加算器２０−１は、Ｂ１ＤＲＯＰ部１０−１により抽出されたＢ１バイトとＢ１演算部１８−１による前ＳＤＨ信号フレームのパリティ演算結果とを加算して、ＥＲＲビットを検出する。加算器２０−１により得られる結果が、Ｂ１ＤＲＯＰ部１０−１により抽出されたＢ１バイトの代わりにＢ１ＥＲＲビット情報として次ノードに転送される。
【００３４】
Ｂ１挿入制御部２０−２は、Ｂ１ＥＲＲビット情報を転送するか否かを選択するゲートである。挿入制御部２０−３は、ＲＳＯＨを転送するか否かを選択するゲートである。
【００３５】
ＭＳＴ部１１は、Ｂ２ＤＲＯＰ部（Ｂ２ドロップ部）１１−１と、ＭＳＤＲＯＰ部（ＭＳドロップ部）１１−２とを有する。Ｂ２ＤＲＯＰ部１１−１は、ＳＤＨ信号から特定の位置に挿入されたＢ２バイトを抽出する。ＭＳＤＲＯＰ部１１−２は、ＳＤＨ信号のＭＳＯＨの抽出を行う。Ｂ２演算部１９はＢ２演算部１９−１を有し、Ｂ２演算範囲に従いＳＤＨ信号のパリティ演算を行う。
【００３６】
加算器２０−４は、Ｂ２ＤＲＯＰ部１１−１により抽出されたＢ２バイトとＢ２演算部１９−１による前ＳＤＨ信号フレームのパリティ演算結果とを加算して、ＥＲＲビットを検出する。加算器２０−４により得られる結果が、Ｂ２ＤＲＯＰ部１０−１により抽出されたＢ２バイトの代わりにＢ２ＥＲＲビット情報として次ノードに転送される。
【００３７】
Ｂ２挿入制御部２０−５は、Ｂ２ＥＲＲビット情報を転送するか否かを選択するゲートである。挿入制御部２０−６は、ＭＳＯＨを転送するか否かを選択するゲートである。ＯＨ  ＳＨＩＦＴ  ＩＮＳ部１２の転送ＯＨ挿入部１２−１は、Ｂ１挿入制御部２０−２とＢ２挿入制御部２０−５と挿入制御部２０−３及び２０−６とからのオーバヘッド情報をＳＤＨ信号のオーバヘッド内の未定義バイトに挿入する。
【００３８】
図１のノードＢ５の構成は図２に示したノードＡ４の構成と同じである。ノードＢ５において、オーバヘッド抽出挿入制御部２０は、ＲＳＴ１０及びＭＳＴ１１から取り出したオーバヘッド情報と、Ｂ１演算部１８とＢ２演算部１９の計算結果を、ＯＨ  ＳＨＩＦＴ  ＩＮＳ部１２に送出しないで、ノードＡ４にて未定義バイトへ転写された情報のまま通過させるように制御を行う。
【００３９】
図３は図１のノードＣ６の構成を示す図であり、図１と同等部分は同一符号にて示している。図３において、ノードＣ６は、ＲＳＴ部２１及び２９と、ＭＳＴ部２２及び２８と、ＭＳＡ部２３及び２５と、ＸＣ部２４と、ＯＨ  ＳＨＩＦＴ  ＤＲＯＰ部（ＯＨシフトドロップ部）２６と、ＥＳ（Ｅｌａｓｔｉｃ  ｓｔｏｒｅ  Ｍｅｍｏｒｙ）部２７と、Ｂ２演算部３０と、Ｂ１演算部３１と、オーバヘッド抽出挿入制御部３２とを有する。
【００４０】
ＲＳＴ部２１は、ノードＢ５からのＳＤＨ信号に対して同期引き込み、デスクランブルを行い、ＲＳＯＨを終端する。ＭＳＴ部２２は、ノードＢ５からのＳＤＨ信号のＭＳＯＨを終端する。ＭＳＡ部２３及び２５、ＸＣ部２４の動作については、図２のＭＳＡ部１３及び１５、ＸＣ部（クロスコネクト部）１４と同様である。
【００４１】
ＯＨ  ＳＨＩＦＴ  ＤＯＲＰ部２６は、未定義バイトにずらして挿入されていたクライアント装置３からのオーバヘッド情報を抽出する。ＭＳＴ部２８及びＲＳＴ部２９は、ＯＨ  ＳＨＩＦＴ  ＤＯＲＰ部２６により抽出されたオーバヘッド情報を本来の位置に挿入する。これにより、クライアント装置７に送出されるＳＤＨ信号のオーバヘッド情報は、クライアント装置３から受信される信号とオーバヘッド部分が同等となる。
【００４２】
ＥＳ部２７は、メモリを用いたバッファである。クライアント装置３からのオーバヘッド情報は未定義バイト位置に挿入されていたため、もとの位置に戻して挿入するためには、フレームから位相が遅れてしまうので、ＥＳ部２７により信号のデータを遅らせることで、位相合わせを行う。位相を合わせる必要がない場合は、ＥＳ部２７の処理をスルーする機能を設ける。
【００４３】
Ｂ２演算部３０は、転送されてきたＢ２ＥＲＲビット情報をＳＤＨ信号の所定範囲をパリティ演算した結果に加算し、Ｂ２バイトとして生成し、クライアント装置３から来ていた信号のＥＲＲ数を復元する（ネットワーク２における伝送路品質情報を生成する）。Ｂ１演算部３１は、転送されてきたＢ１ＥＲＲビット情報をＳＤＨ信号の所定範囲をパリティ演算した結果に加算し、Ｂ１バイトとして生成し、クライアント装置３から来ていた信号のＥＲＲ数を復元する（ネットワーク２における伝送路品質情報を生成する）。
【００４４】
オーバヘッド抽出挿入制御部３２は、未定義バイトにずらして挿入されていたクライアント装置３からのオーバヘッド情報の抽出と、これを本来の位置に戻して挿入する制御をＭＳＴ部２８及びＲＳＴ部２９に対して行う。
【００４５】
図５は図１のノードＣ６のＯＨ  ＳＨＩＦＴ  ＤＲＯＰ部２６、ＥＳ部２７、オーバヘッド抽出挿入制御部３２、Ｂ２演算部３０、Ｂ１演算部３１の構成を示す図であり、図１と同等部分は同一符号にて示している。
【００４６】
図５において、ＯＨ  ＳＨＩＦＴ  ＤＲＯＰ部２６は、転送ＥＲＲ情報部２６−１と、転送ＲＳ・ＭＳ  ＤＲＯＰ部２６−２とを有する。転送ＥＲＲ情報部２６−１は、転送されてきた未定義バイトに挿入されているＢ１ＥＲＲビット情報及びＢ２ＥＲＲビット情報を抽出する。転送ＲＳ・ＭＳ  ＤＲＯＰ部２６−２は、転送されてきた未定義バイトに挿入されているＲＳＯＨ及びＭＳＯＨを抽出する。
【００４７】
オーバヘッド抽出挿入制御部３２は、Ｂ１・Ｂ２挿入制御部３２−１と、挿入制御部３２−２と、制御部３２−３とを有する。Ｂ１・Ｂ２挿入制御部３２−１は、制御部３２−３からの設定に従い、転送されてきたＥＲＲビット情報を次のブロックに送るか否かを選択するゲートである。挿入制御部３２−２は、制御部３２−３からの設定に従い、転送されてきたＲＳＯＨ及びＭＳＯＨを次のブロックに送るか否かを選択するゲートである。
【００４８】
制御部３２−３は、上位のネットワークを管理するオペレーションシステム等からの指示で、ノードＡ４と同期して、オーバヘッドの転送実施または、ＥＲＲ情報の復元の実施をするか否かをＢ１・Ｂ２挿入制御部３２−１、挿入制御部３２−２に設定し、データの遅延を行うＥＳ部２７に対して遅延量の設定制御を行う。
【００４９】
ＭＳＴ部２８のＭＳＯＨ挿入部２８−１は、転送ＲＳ・ＭＳＤＲＯＰ部２６−２で抽出されたＭＳＯＨと、Ｂ２演算部３０の加算器３０−２の出力であるＢ２バイトとをＳＤＨ信号のオーバヘッドの本来の位置へ挿入する。Ｂ２演算部３０−１は、ＭＳＯＨ挿入後のデータのパリティ演算を行う。加算器３０−２は、Ｂ１・Ｂ２挿入制御部３２−１からのＢ２ＥＲＲビット情報を、Ｂ２演算部３０−１による前ＳＤＨ信号フレームのパリティ演算結果に加算し、伝送路状態を復元する（ネットワーク２における伝送路品質情報を生成する）。加算器３０−２により得られたＢ２バイトは、ＭＳＯＨ挿入部２８−１に送られる。
【００５０】
ＲＳＴ部２９のＲＳＯＨ挿入部２９−１は、転送ＲＳ・ＭＳＤＲＯＰ部２６−２で抽出されたＲＳＯＨと、Ｂ１演算部３１の加算器３１−２の出力であるＢ１バイトとをＳＤＨ信号のオーバヘッドの本来の位置へ挿入する。Ｂ１演算部３１−１は、ＲＳＯＨ挿入後のデータのパリティ演算を行う。加算器３１−２は、Ｂ１・Ｂ２挿入制御部３２−１からのＢ１ＥＲＲビット情報を、Ｂ１演算部３１−１による前ＳＤＨ信号フレームのパリティ演算結果に加算し、伝送路状態を復元する（ネットワーク２における伝送路品質情報を生成する）。加算器３１−２により得られたＢ１バイトは、ＲＳＯＨ挿入部２９−１に送られる。
【００５１】
ＥＳ部２７は、転送されてきたＥＲＲビット情報を抽出しＢ２演算部３０及びＢ１演算部３１における演算処理の後にＢ２挿入、Ｂ１挿入処理が行なわれるので、入力信号をその処理の時間分遅らせるためにある。
【００５２】
次に、本発明の実施例の動作について図面を参照して説明する。
【００５３】
図８は図１のクライアント装置３からのＳＴＭ（Ｓｙｎｃｈｒｏｎｏｕｓ  Ｔｒａｎｓｐｏｒｔ  Ｍｏｄｕｌｅ）−Ｎ（Ｎ＞＝４）のＳＤＨ信号のオーバヘッド部分のフォーマットを示す図である。このフォーマットは、ＩＴＵ−Ｔ  Ｇ．７０７を参考としている。図８において、＃１はＳＴＭ−Ｎの１番目のＳＴＭ−１のオーバヘッド部分にあたり、＃２は２番目のＳＴＭ−２、＃ｎはＳＴＭ−ｎにあたる。
【００５４】
図８における斜線部分は、未定義（Ｕｎｄｅｆｉｎｅｄ）バイト、固定値（Ａ１、Ａ２）バイト、後段で変化していくポインタ値（Ｈ１，Ｈ２，Ｈ３）や、切り替えバイト（Ｋ１，Ｋ２）であり、転送の必要がないバイトである。この斜線部分を除く部分が転送の必要なバイトであり、未定義バイトが転送に使用可能なバイトになる。
【００５５】
図１のノードＡ４は、図８の斜線部分を除くバイトを、図９に示すように未定義バイトに転写を行う。なお、図９は図１のノードＡ４から出力されるＳＤＨ信号のオーバヘッド部分のフォーマットを示す図である。図９における斜線部分は、ノードＡ４からノードＢ５に送信する際にノード間通信の用途で使用される可能性があるバイトを示している。ネットワーク２のノード間では、この斜線部分を用いて制御通信や伝送路の品質監視が行なわれる。また、図９における＊印はＳＤＨ信号フレームと時間的な関連性をもたないバイトを示している。
【００５６】
図４の転送ＯＨ挿入部１２−１は、この図９に従って、転送すべきバイトをＳＤＨ信号のオーバヘッドに挿入する。
【００５７】
図６はＢ１ＥＲＲビット情報の生成を示すタイムチャートである。現フレームのＢ１バイトは、送信側での前フレームデータのパリティ演算した結果であり、受信側では、前フレームのパリティ演算結果と受信されたＢ１バイトを比較して、ＥＲＲの有無を検出できる。転送するＢ１ＥＲＲビット情報は、この比較結果を利用するため、フレーム先頭からの位相差は図６に示すように、本来のＢ１バイト位置の位相差Ａより遅くなり、位相差Ｂとなる。
【００５８】
図１のノードＢ５は、図９に示すように未定義バイトに転写されたバイトを保ったまま、図９の斜線部分を使用してノードＣ６に送信を行う。
【００５９】
図１のノードＣ６は、ノードＢ５から受信された信号から未定義バイトに転写されていたオーバヘッド情報を抽出して、クライアント装置７に送出する信号には図１０に示すようなオーバヘッドを挿入する。図１０はクライアント装置７に出力されるＳＤＨ信号のオーバヘッド部分のフォーマットを示す図である。図１０では、斜線部分は、ノードＣ６で新たに生成されるが、その他の部分は、ノードＡ４により受信されたクライアント装置３からのオーバヘッド情報となる。
【００６０】
図５の転送ＥＲＲ情報部２６−１及び転送ＲＳ・ＭＳ  ＤＲＯＰ部２６−２は、図９に示すように未定義バイトに転写されたバイトを抽出し、ＭＳＯＨ挿入部２８−１及びＲＳＯＨ挿入部２９−１が、これらバイト（Ｂ１，Ｂ２バイトは加算器３１−２，３０−２の出力）を図１０に示すようにオーバヘッド内の元の位置に挿入する。
【００６１】
図７は図１のノードＣ６におけるＢ１バイトの挿入処理を示すタイムチャートである。転送ＥＲＲ情報部２６−１で抽出されるＢ１ＥＲＲビット情報の位相は、図７のタイムチャートにおけるＢ１のＥＲＲ情報挿入位置となり、フレーム先頭から位相差Ｂである。前フレームのパリティ演算結果とＥＲＲビット情報を加算してクライアント装置７に送出するＢ１バイトを生成するため、その処理時間として位相差Ｅ遅れて、クライアント装置７に送出するＳＤＨ信号フレームに上記の生成されたＢ１バイト（復元Ｂ１バイト）を挿入可能となる。本来、Ｂ１の演算結果の挿入位置（オーバヘッド内のＢ１バイトの元の位置）は、位相差Ａのところにある。したがって、生成されたＢ１バイトをＳＤＨ信号フレームのオーバヘッド内の元の位置に挿入するために、ＥＳ部２７にて信号を遅延させる必要があり、図７に示すようにＣ＝Ｂ−Ａ＋ＥがＥＳ部２７にて必要となる遅延量である。
【００６２】
ここで、図１１に示すように、＃１−１行３列にあるＪ０バイトを転送するためには、＃３−２行３列に転写することになるため、１行分の遅れで転送されている。これを同じフレーム上に再現するためには、上述のＢ１処理と同様に、データをＥＳ部２７にて遅延させて、遅れている抽出されたオーバヘッド情報にあわせることで、クラインアント装置３から受信したときと同じ位置に挿入することが可能である。なお、図１１は左側に図８のフォーマット、右側に図９のフォーマットを示す図である。
【００６３】
一方で、図９に示したノードＡ４の出力のうち＊印のあるバイトについては、ＥＲＲビット情報（Ｂ１，Ｂ２バイト）と異なり、フレームと時間的な関連性をもたない。したがって、ノードＣ６において、抽出された＊印のあるバイトを挿入する際には、１フレーム遅らせて、次のＳＤＨ信号フレームに挿入することが可能である。
【００６４】
これにより、ＥＲＲビット情報を転送しない場合には、図５の制御部３２−３からの制御によりＢ１・Ｂ２挿入制御部３２−１においてゲートを閉じ、また、ＥＳ部２７に対してＳＤＨフレームを遅延させないよう制御を行うことで、ＳＤＨ信号の遅延を最小にすることができる。
【００６５】
また、図７に示すようにＥＳ部２７によりＳＤＨフレームを遅延させ、ノードＣ６において生成されるＢ１，Ｂ２バイトについては現フレームのオーバヘッド内の元の位置に挿入し、それ以外のフレームと時間的な関連性をもたないバイトについては次フレームのオーバヘッド内の元の位置に挿入するようにしてもよい。
【００６６】
図１２は図１のノードＡ４におけるマッピング動作を示すフローチャートである。図１２及び図４において、ＲＳＴ部１０及びＭＳＴ部１１は、クライアント装置３からのＳＤＨフレームのオーバヘッド内の所定部分を抽出する（ステップＳ１）。加算器２０−１及び２０−４は、抽出されたＢ１バイト及びＢ２バイトとＢ１演算部１８−１及びＢ２演算部１９−１による前フレームのパリティ演算結果を加算する（ステップＳ２）。そして、転送ＯＨ挿入部１２−１は、抽出された所定部分（Ｂ１，Ｂ２バイトについては加算器２０−１及び２０−４の加算結果）を図９に示すようにオーバヘッド内の未使用部分へ挿入する（ステップＳ３）。
【００６７】
図１３は図１のノードＣ６におけるデマッピング動作を示すフローチャートである。図１３及び図５において、ＯＨ  ＳＨＩＦＴ  ＤＲＯＰ部２６は、ノードＢ５からのＳＤＨフレームのオーバヘッド内の未使用部分へ挿入された所定部分を抽出する（ステップＳ２１）。加算器３０−２及び３１−２は、抽出されたＢ２バイト及びＢ１バイト（図４の加算器２０−４及び２０−１の加算結果）とＢ２演算部３０−１及びＢ１演算部３１−１による前フレームのパリティ演算結果を加算する（ステップＳ２２）。そして、ＭＳＯＨ挿入部２８−１及びＲＳＯＨ挿入部２９−１は図１０に示すように、ステップＳ２１にて抽出された所定部分（Ｂ１，Ｂ２バイトについては加算器３１−２及び３０−２の加算結果）をＥＳ部２７により遅延されたＳＤＨフレームのオーバヘッド内の元の位置へ挿入する  （ステップＳ２３）。
【００６８】
以上説明したように本実施例では、クライアント装置から受信された信号のオーバヘッド内の所定部分を抜き取り、オーバヘッドの未定義バイトに転写して、ノード間を転送し、対向側のクライアント装置に送信する際には、オーバヘッド内の元のバイト位置に転写して戻しているので、クライアント装置から受信されたオーバヘッド情報をそのまま対向側のクライアント装置に透過することができ、クライアント装置間の情報伝達を支障なく行なうことができる。
【００６９】
また、クライアント装置から受信された信号のオーバヘッド内の誤り監視用バイトであるＢ１，Ｂ２バイトと前フレームのパリティ演算結果との加算結果をＢ１，Ｂ２バイトとしてオーバヘッドの未定義バイトに転写して転送し、対向側のクライアント装置に送信する際には、未定義バイトに転写されたＢ１，Ｂ２バイトと前フレームのパリティ演算結果との加算結果をＢ１，Ｂ２バイトとしてオーバヘッド内の元の位置に転写して戻しているので、クライアント装置側において管理の異なるネットワークにおける伝送路品質情報を取得することができる。
【００７０】
また、ＥＲＲ情報を転送しない場合には、遅延を最小に制御しているので、オーバヘッド情報は転送するが、遅延を最小にすることができる。
【図面の簡単な説明】
【００７１】
【図１】本発明の実施例によるＳＤＨ光伝送システムの構成を示す図である。
【図２】図１のノードＡの構成を示す図である。
【図３】図１のノードＣの構成を示す図である。
【図４】図１のノードＡのＲＳＴ部、ＭＳＴ部、オーバヘッド抽出挿入制御部の構成を示す図である。
【図５】図５は図１のノードＣのＯＨ  ＳＨＩＦＴ  ＤＲＯＰ部、ＥＳ部、オーバヘッド抽出挿入制御部、Ｂ２演算部、Ｂ１演算部の構成を示す図である。
【図６】図１のノードＡにおけるＢ１ＥＲＲビット情報の生成を示すタイムチャートである。
【図７】図１のノードＣにおけるＢ１バイトの挿入処理を示すタイムチャートである。
【図８】図１のクライアント装置からのＳＴＭ−ＮのＳＤＨ信号のオーバヘッド部分のフォーマットを示す図である。
【図９】図１のノードＡから出力されるＳＤＨ信号のオーバヘッド部分のフォーマットを示す図である。
【図１０】図１のクライアント装置に出力されるＳＤＨ信号のオーバヘッド部分のフォーマットを示す図である。
【図１１】左側に図８のフォーマット、右側に図９のフォーマットを示す図である。
【図１２】図１のノードＡにおけるマッピング動作を示すフローチャートである。
【図１３】図１のノードＣにおけるデマッピング動作を示すフローチャートである。
【図１４】従来のオーバヘッド透過の例を説明するための図である。
【符号の説明】
【００７２】
１，２    ネットワーク
３，７    クライアント装置
４〜６    ノード
１０，１７，２１，２９    ＲＳＴ部
１１，１６，２２，２８    ＭＳＴ部
１２    ＯＨ  ＳＨＩＦＴ  ＩＮＳ部
１３，１５，２３，２５    ＭＳＡ部
１４，２４    ＸＣ部
１８，３１    Ｂ１演算部
１９，３０    Ｂ２演算部
２０，３２    オーバヘッド抽出挿入制御部
２６    ＯＨ  ＳＨＩＦＴ  ＤＲＯＰ部
２７    ＥＳ部
【図１】
2006041849.tif 000003
【図２】
2006041849.tif 000004
【図３】
2006041849.tif 000005
【図４】
2006041849.tif 000006
【図５】
2006041849.tif 000007
【図６】
2006041849.tif 000008
【図７】
2006041849.tif 000009
【図８】
2006041849.tif 000010
【図９】
2006041849.tif 000011
【図１０】
2006041849.tif 000012
【図１１】
2006041849.tif 000013
【図１２】
2006041849.tif 000014
【図１３】
2006041849.tif 000015
【図１４】
2006041849.tif 000016